(57)【要約】【課題】端末識別情報等の認証キーの入力ミスが起こらず、セキュリティを向上させた、無線ＬＡＮの設定方法を提供する。【解決手段】無線通信設定装置１００は、無線ＬＡＮを管理するための管理サーバに、無線接続するための設定を行う。端末識別情報生成部４０１は、無線通信設定装置１００に固有の識別情報を生成する。高強度認証キー生成部４０２は、該識別情報から、管理サーバで読み取り可能な図形パターンデータに変換した高強度認証キーを生成する。印刷エンジン１４が、識別情報と高強度認証キーを印刷した印刷物を出力する。管理サーバは、印刷物に印刷された識別情報と高強度認証キーを読み取り、これを登録しておく。認証処理部４０４は、識別情報又は高強度認証キーを用いた認証処理を管理サーバに行わせる。認証が成立すると、設定処理部４０３は、管理サーバと無線通信を可能にするための設定を行う。【選択図】図１
2008227660.tif 000002
【特許請求の範囲】
【請求項１】
無線ＬＡＮを管理するための管理サーバに、無線接続するための設定を行う無線通信設
定装置であって、
前記無線通信設定装置は、前記管理サーバと前記設定のための無線通信を行う通信部と
、データを記憶する記憶部と、前記設定を制御する制御部と、を備え、
前記制御部は、
前記無線通信設定装置に固有の識別情報を生成する処理と、
前記識別情報を前記管理サーバで読み取り可能な図形パターンデータに変換した、高強
度認証キーを生成する処理と、
前記識別情報と前記高強度認証キーを印刷した印刷物を出力する処理と、
前記識別情報と前記高強度認証キーを前記記憶部に記憶する処理と、
印刷物に印刷された前記識別情報又は前記高強度認証キーを記憶した前記管理サーバに
、前記記憶部に記憶されている前記識別情報を、前記通信部を介して送信して認証処理を
行わせる処理と、
を行うこと、
を特徴とする無線通信設定装置。
【請求項２】
請求項１に記載される無線通信設定装置であって、
前記高強度認証キーは、バーコード、又は、二次元コード、である、
ことを特徴とする無線通信設定装置。
【請求項３】
無線ＬＡＮを管理する管理サーバに無線接続するための設定を行う無線通信設定装置に
おける無線通信設定方法であって、
前記無線通信設定装置は、前記管理サーバと前記設定のための無線通信を行う通信部と
、データを記憶する記憶部と、前記設定を制御する制御部と、を備え、
前記制御部は、
当該無線通信設定装置に固有の識別情報を生成する識別情報生成過程と、
前記識別情報を前記管理サーバで読み取り可能な図形パターンデータに変換した、高強
度認証キーを生成する高強度認証キー生成過程と、
前記識別情報と前記高強度認証キーを印刷した印刷物を出力する印刷処理過程と、
前記識別情報と前記高強度認証キーを前記記憶部に記憶する記憶過程と、
印刷物に印刷された前記識別情報又は前記高強度認証キーを記憶した前記管理サーバに
、前記記憶部に記憶されている前記識別情報を、前記通信部を介して送信して認証処理を
行わせる過程と、
を有する、
ことを特徴とする無線通信設定方法。
【請求項４】
コンピュータを、無線ＬＡＮを管理する管理サーバに無線接続するための設定を行う無
線通信設定装置として機能させるプログラムであって、
前記コンピュータは、
前記無線通信設定装置は、前記管理サーバと前記設定のための無線通信を行う通信手段
、データを記憶する記憶手段、前記設定を制御する制御手段、として機能し、
前記制御手段は、
当該無線通信設定装置に固有の識別情報を生成する処理と、
前記識別情報を前記管理サーバで読み取り可能な図形パターンデータに変換した、高強
度認証キーを生成する処理と、
前記識別情報と前記高強度認証キーを印刷した印刷物を出力する処理と、
前記識別情報と前記高強度認証キーを前記記憶手段に記憶する処理と、
印刷物に印刷された前記識別情報又は前記高強度認証キーを記憶した前記管理サーバに
、前記記憶手段に記憶されている前記識別情報を、前記通信手段を介して送信して認証処
理を行わせる処理と、
を行うこと、
を特徴とするプログラム。
【発明の詳細な説明】
【技術分野】
【０００１】
本発明は、無線ＬＡＮの設定を行う技術に関する。
【背景技術】
【０００２】
プリンタ、デジタルカメラ、携帯電話、パソコン等の端末間で、無線データ通信を実現
するための様々な規格が知られている。例えば、ＩＥＥＥ８０２．１１などの無線ＬＡＮ
の標準規格群がある。また、これらの規格のセキュリティ機能を強化するための規格が知
られている。例えば、ＩＥＥＥ８０２．１ｘを利用した規格がある。
【０００３】
無線ＬＡＮのセキュリティ機能を使用する場合には、ネットワークに関する情報（ネッ
トワークタイプ、ＳＳＩＤ等）や、暗号化に関する情報（ＷＥＰ、ＷＰＡ、パスワード等
）などの設定情報を、各端末に設定する必要があり、設定操作が煩雑である。これについ
ては、無線ＬＡＮのセキュリティ機能の設定を簡素化した簡単設定規格が業界団体により
提案されている。例えば、この規格を用いた設定手法には、ＷＰＳ（Ｗｉ−Ｆｉ  Ｐｒｏ
ｔｅｃｔｅｄ  Ｓｅｔｕｐ）という手法がある。ＷＰＳの一方式として、端末を識別する
ための端末識別情報（例えば、ＰＩＮ（Ｐｅｒｓｏｎａｌ  Ｉｄｅｎｔｉｆｉｃａｔｉｏ
ｎ  Ｎｕｍｂｅｒ）コードと呼ばれる情報）を用いる方式がある。これは、無線ＬＡＮに
新たに接続する端末（以下、Ｅｎｒｏｌｌｅｅと呼ぶ）が生成した端末識別情報を、当該
無線ＬＡＮを管理する端末（以下、Ｒｅｇｉｓｔｒａｒと呼ぶ）に登録することにより、
自動的に、上述した規格に従った通信を可能にするための設定情報の送受信および設定が
行われ、セキュリティ機能を使った接続が確立される。例えば、非特許文献１には、上記
のＰＩＮコードを用いた方式によって無線ＬＡＮ通信の設定をする技術について記載され
ている。
【０００４】
【非特許文献１】Scott Manchester、滴ow To Use Windows Connect Now To Enable Simple Setup For Consumer Wi-Fi Networks煤A[online]、[平成19年1月25日検索]、インターネット＜ＵＲＬ：http://download.microsoft.com/download/5/b/9/5b97017b-e28a-4bae-ba48-174cf47d23cd/CON044_WH06.ppt＞
【発明の開示】
【発明が解決しようとする課題】
【０００５】
上述の端末識別情報を用いた方式によって無線ＬＡＮの設定を行う場合、端末識別情報
をＲｅｇｉｓｔｒａｒに登録するためには、ユーザが端末識別情報を手入力しなければな
らない。そして、この端末識別情報は、規格により８桁の数字列と定められており、端末
識別情報の入力ミスは十分に起こり得る。また、上述の端末識別情報を用いる方式による
認証では、端末識別情報は人間が理解可能なデータであるため、セキュリティが低いとい
う問題もある。
【０００６】
本発明は、ＷＰＳの規格に従った無線ＬＡＮの設定を行う場合において、端末識別情報
等の認証キーの入力ミスが起こらず、セキュリティを向上させた、無線ＬＡＮの設定方法
を提供することを目的とする。
【課題を解決するための手段】
【０００７】
（クレーム１を記載）
上記課題を解決するため、本発明では、無線ＬＡＮを管理するための管理サーバに、無
線接続するための設定を行う無線通信設定装置は、前記管理サーバと前記設定のための無
線通信を行う通信部と、データを記憶する記憶部と、前記設定を制御する制御部と、を備
え、前記制御部は、前記無線通信設定装置に固有の識別情報を生成する処理と、前記識別
情報を前記管理サーバで読み取り可能な図形パターンデータに変換した、高強度認証キー
を生成する処理と、前記識別情報と前記高強度認証キーを印刷した印刷物を出力する処理
と、前記識別情報と前記高強度認証キーを前記記憶部に記憶する処理と、印刷物に印刷さ
れた前記識別情報又は前記高強度認証キーを記憶した前記管理サーバに、前記記憶部に記
憶されている前記識別情報を、前記通信部を介して送信して認証処理を行わせる処理と、
を行うこと、を特徴とする。
【発明の効果】
【０００８】
本発明の無線通信設定装置によれば、ＷＰＳの規格に従った無線ＬＡＮの設定を行う場
合において、端末識別情報等の認証キーの入力ミスが起こらず、セキュリティを向上させ
ることができる。
【発明を実施するための最良の形態】
【０００９】
以下、本発明の最良の実施の形態を、図面を参照して説明する。
【００１０】
本発明の実施形態に適用される無線通信設定装置１００は、例えば、プリンタや複合機
等の印刷機能を有する情報処理装置とする。
【００１１】
本発明の実施形態に適用される無線通信設定装置１００の機能構成の一例を、図１のブ
ロック図に示す。無線通信設定装置１００は、図示するように、制御部１０と、記憶部１
１と、第１のインタフェース部１２と、第２のインタフェース部１３と、印刷エンジン１
４と、を有する。
【００１２】
無線通信設定装置１００は、図２に示すような無線通信設定システム５０で使用される
。図示するように、無線通信設定システム５０は、無線通信設定装置１００と、管理装置
２００と、アクセスポイント３００と、を備えている。無線通信設定システム５０は、各
装置間で、無線データ通信を可能にする無線ＬＡＮを構築するための設定を行う。無線Ｌ
ＡＮには、各装置間が直接通信を行う「アドホックモード」と、アクセスポイントを中継
して通信する「インフラストラクチャモード」があるが、本実施形態では、「インフラス
トラクチャモード」の場合で説明する。ただし、本発明の無線ＬＡＮは、「アドホックモ
ード」であってもよい。
【００１３】
ここで、管理装置２００は、無線通信システム５０において、無線ＬＡＮを管理するＲ
ｅｇｉｓｔｒａｒとしての役割を担う装置である。管理装置２００にアクセスポイント３
００を登録する際には、管理装置２００とアクセスポイント３００とは、有線１５０で相
互接続される。管理装置２００にアクセスポイント３００を登録完了後は、管理装置２０
０とアクセスポイント３００とは、無線１６０で通信可能になる。
【００１４】
アクセスポイント３００は、一般的なアクセスポイント（ＡＰ）であり、管理装置２０
０と無線通信設定装置１００とを接続する電波中継機である。
【００１５】
無線通信設定装置１００は、無線通信システム５０において、管理装置２００とアクセ
スポイント３００との間で構築された無線ＬＡＮに、新たに接続するＥｎｒｏｌｌｅｅと
しての役割を担う装置である。無線通信設定装置１００は、接続設定時及び接続設定完了
後において、アクセスポイント３００を介して、管理装置１００と無線１７０で通信する
。
【００１６】
管理装置２００にアクセスポイント３００を登録する際の設定は有線１５０で行われ、
管理装置２００に無線通信設定装置１００を登録する際の設定は無線１７０で行われるが
、どちらの設定も同じプロトコルに従って行われる。従って、以下には、管理装置２００
に無線通信設定装置１００を登録する場合についてのみ説明する。
【００１７】
ここでの設定方式には、上述したＷＰＳを用いる。無線通信設定装置１００を管理装置
２００に新たに登録するとき、無線通信設定装置１００は、無線通信設定装置１００を識
別するための端末識別情報（例えば、ＰＩＮコードと呼ばれる情報）、又は、無線通信設
定装置１００を特定するための端末特定情報を含む高強度認証キー（例えば、バーコード
、二次元コード（ＱＲコード、等））、を生成する。生成した端末識別情報、又は、高強
度認証キーを、管理装置２００に登録することにより、無線通信設定装置１００と管理装
置２００との間で、自動的に、所定の規格に従った無線通信を可能にするための設定情報
の送受信および設定が行われ、接続が確立される。
【００１８】
また、無線通信設定装置１００を、管理装置２００に登録するときは、ユーザが、無線
通信設定装置１００で、端末識別情報と高強度認証キーをともに含んだ画像を印刷物とし
て出力させ、これを管理装置２００に備わる画像読み取り装置で読み取らせる。管理装置
３００は、読み取った画像を解析して、端末識別コード及び高強度認証キーに含まれる端
末特定情報を抽出する。このとき、管理装置２００に画像読み取り装置が備えられていな
い場合は、端末識別コードを認証に用い、画像読み取り装置が備えられている場合には、
高強度認証キーを認証に用いる。ここでの画像読み取り装置は、バーコードを読み取るた
めのバーコードリーダーや、二次元コードを読み取るためのＯＣＲ（Ｏｐｔｉｃａｌ  Ｃ
ｈａｒａｃｔｅｒ  Ｒｅａｄｅｒ）スキャナ、等の一般的な装置でよい。また、端末識別
情報を用いて無線通信設定装置１００の登録を行う場合は、ユーザが端末識別情報を、管
理装置３００に手入力することもできる。
【００１９】
図１に戻り、無線通信設定装置１００の第１のインタフェース部１２は、アクセスポイ
ント３００を介して、管理装置２００と無線通信データの送受信を行うためのインタフェ
ースである。ここで、無線通信データは、ＷＰＳ、ＩＰ（Ｉｎｔｅｒｎｅｔ  Ｐｒｏｔｏ
ｃｏｌ）、等に対応したものでよい。また、第１のインタフェース部１２は、ＮＩＣ等の
各ネットワークカードに固有に割り付けられているＭＡＣアドレスを取得する機能を有す
る。さらに、第１のインタフェース部１２は、外部の情報処理装置（例えば、パーソナル
コンピュータ、デジタルカメラ、携帯電話、等）と、有線、無線にかかわらず、通信デー
タの送受信を行うことも可能なインタフェースとしてもよい。
【００２０】
第２のインタフェース部１３は、キーボード等の入力装置からのデータの受信やディス
プレイ等の出力装置へのデータの出力を行うためのインタフェースである。
【００２１】
記憶部１１は、端末識別情報格納テーブル４０９と、高強度認証キー格納テーブル４１
０と、を記憶する。
【００２２】
端末識別情報格納テーブル４０９には、管理装置２００が無線通信設定装置１００を識
別するための端末識別情報（例えば、ＰＩＮコードと呼ばれる情報）が記憶される。端末
識別情報格納テーブル４０９に格納されている端末識別情報が、管理装置２００に登録さ
れることにより、無線通信設定装置１００は管理装置２００と無線通信が可能になる。
【００２３】
ここで、端末識別情報は、所定の桁数を有する数字列からなる。例えば、端末識別情報
がＰＩＮコードの場合、８桁の数字列からなる。また、端末識別情報は、無線通信設定装
置１００が、日時やＭＡＣアドレス等に基づいてランダムに生成した数字列である。
【００２４】
例えば、本実施形態においては、端末識別情報格納テーブル４０９は、図３に示すよう
に、端末識別情報欄５０１と、有効期限欄５０２と、を備える。
【００２５】
端末識別情報欄５０１には、端末識別情報が格納される。例えば、ＰＩＮコードのよう
な８桁の数字列が格納される。
【００２６】
有効期限欄５０２には、無線通信設定装置１００が端末識別情報を生成してから、所定
期間後の日時を示す情報が格納される。
【００２７】
端末識別情報、有効期限は、無線通信設定装置１００が端末識別情報を生成したときに
、１行に対応付けられて、端末識別情報格納テーブル４０９にエントリされる。無線通信
設定装置１００は、有効期限欄５０２に格納されている日時が、無線通信設定装置１００
が有する内部クロックより過去であれば、この日時に対応付けてエントリされた端末識別
情報を使用しない。例えば、端末識別情報を使用できない場合は、無線通信設定装置１０
０は、再度、端末識別情報を生成して端末識別情報格納テーブル４０９にエントリするよ
うにすれば、セキュリティは高くなる。
【００２８】
また、端末識別情報格納テーブル４０９には、複数の端末識別情報が格納されるように
説明しているが、本発明はこれに限定されず、無線通信設定装置１００が新たに生成した
端末識別情報を、端末識別情報格納テーブル４０９内に既に格納されている端末識別情報
に上書きするようにしてもよい。
【００２９】
高強度認証キー格納テーブル４１０には、無線通信設定装置１００を特定するための高
強度認証キーが記憶される。端末識別情報と同様に、高強度認証キー格納テーブル４１０
に格納されている高強度認証キーに含まれる端末特定情報が、管理装置２００に登録され
ることにより、無線通信設定装置１００は管理装置２００と無線通信が可能になる。
【００３０】
ここで、上述したように、高強度認証キーは、無線通信設定装置１００を特定するため
の端末特定情報を含んでいる。例えば、この端末特定情報は、端末識別情報格納テーブル
４０９に格納されている端末識別情報と同一の情報とする。
【００３１】
そして、高強度認証キー格納テーブル４１０に格納される高強度認証キーは、バーコー
ドや二次元コード等の、人間に理解不能な図形パターンから構成される。従って、高強度
認証キーは、図形パターン認証コードといってもよい。
【００３２】
例えば、本実施形態においては、高強度認証キー格納テーブル４１０は、図４に示すよ
うに、高強度認証キー欄６０１と、有効期限欄６０２と、を備える。
【００３３】
高強度認証キー欄６０１には、高強度認証キーが格納される。例えば、ＱＲコード等の
図形パターンからなるデータが格納される。
【００３４】
有効期限欄６０２には、無線通信設定装置１００が高強度認証キーを生成してから、所
定期間後の日時を示す情報が格納される。
【００３５】
端末識別情報、有効期限は、無線通信設定装置１００が高強度認証キーを生成したとき
に、１行に対応付けられて、高強度認証キー格納テーブル４１０にエントリされる。無線
通信設定装置１００は、有効期限欄６０２に格納されている日時が、無線通信設定装置１
００が有する内部クロックより過去であれば、この日時に対応付けてエントリされた高強
度認証キーを使用しない。例えば、高強度認証キーを使用できない場合は、無線通信設定
装置１００は、再度、高強度認証キーを生成して高強度認証キー格納テーブル４１０にエ
ントリするようにすれば、セキュリティは高くなる。
【００３６】
また、高強度認証キー格納テーブル４１０には、複数の高強度認証キーが格納されるよ
うに説明しているが、本発明はこれに限定されず、無線通信設定装置１００が新たに生成
した高強度認証キーを、高強度認証キー格納テーブル４１０内に既に格納されている高強
度認証キーに上書きするようにしてもよい。
【００３７】
図１に戻り、制御部１０は、入力受付部４００と、端末識別情報生成部４０１と、高強
度認証キー生成部４０２と、設定処理部４０３と、認証処理部４０４と、エラー検出部４
０５と、メッセージ画面生成部４０６と、画像処理部４０７と、表示制御部４０８と、を
備える。
【００３８】
入力受付部４００は、第２のインタフェース部１３を介して、無線ＬＡＮの設定を行う
指示信号、端末識別情報及び高強度認証キーの印刷を行う指示信号、等の各種指示信号を
受け付ける処理を行う。
【００３９】
例えば、入力受付部４００は、第２のインタフェース部１３を介して、無線ＬＡＮの設
定を行う指示信号を受け付けたとき、無線ＬＡＮの設定処理を開始する指示情報を設定処
理部４０３に通知する。また、入力受付部４００は、端末識別情報及び高強度認証キーの
印刷を行う指示信号を受け付けたとき、端末識別情報及び高強度認証キーの印刷処理を実
行する指示情報を、設定処理部４０３に通知する。
【００４０】
端末識別情報生成部４０１は、端末識別情報を生成する処理を行う。例えば、端末識別
情報生成部４０１は、設定処理部４０３から端末識別情報の生成を行う指示情報が通知さ
れたとき、無線通信設定装置１００が有する内部クロックから、その時点における時刻情
報を取得する。さらに、無線通信設定装置１００は、第１のインタフェース部１２から、
ネットワークカードのＭＡＣアドレスを取得する。このとき、端末識別情報生成部４０１
は、取得した時刻情報及びＭＡＣアドレスに基づき、ランダムな８桁の数字列を生成する
。ここでの数字列の生成方法には、任意の手法を用いてよい。
【００４１】
端末識別情報生成部４０１は、記憶部１１にアクセスして、生成した端末識別情報を、
端末識別情報格納テーブル４０９の端末識別情報欄５０１に格納する。このとき、端末識
別情報生成部４０１は、生成した端末識別情報に対応付けて、有効期限欄５０２に、取得
した時刻情報に所定時間（例えば、１時間）を加えた時刻情報、を格納する。
【００４２】
端末識別情報を端末識別情報格納テーブル４０９に正常に格納したときに、端末識別情
報生成部４０１は、端末識別情報の生成処理を完了したことを高強度認証キー生成部４０
２に通知する。
【００４３】
高強度認証キー生成部４０２は、高強度認証キーを生成する処理を行う。例えば、高強
度認証キー生成部４０２は、端末識別情報生成部４０１から端末識別情報の生成処理が完
了したことを示す情報が通知されたとき、高強度認証キーを生成する処理を開始する。具
体的には、まず、高強度認証キー生成部４０２は、記憶部１１の端末識別情報格納テーブ
ル４０９にアクセスして、端末識別情報欄５０１の端末識別情報を取得する。そして、高
強度認証キー生成部４０２は、取得した端末識別情報に基づいて、高強度認証キーを生成
する。このときの高強度認証キーの生成手法は、任意の手法を用いてよく、例えば、ＱＲ
コードを生成する場合、一般的な方法により端末識別情報に基づいてＱＲコードを生成し
てもよい。
【００４４】
高強度認証キー生成部４０２は、記憶部１１にアクセスして、生成した高強度認証キー
を、高強度認証キー格納テーブル４１０の高強度認証キー欄６０１に格納する。このとき
、高強度認証キー生成部４０２は、生成した高強度認証キーに対応付けて、有効期限欄６
０２に、取得した時刻情報に所定時間（例えば、１時間）を加えた時刻情報、を格納する
。
【００４５】
高強度認証キーを高強度認証キー格納テーブル４１０に正常に格納したときに、高強度
認証キー生成部４０２は、高強度認証キーの生成処理を完了したことを設定処理部４０３
に通知する。
【００４６】
設定処理部４０３は、無線ＬＡＮの設定処理全体を制御する処理を行う。例えば、設定
処理部４０３は、入力受付部４００から設定処理の開始を指示する指示情報が通知された
とき、無線ＬＡＮの設定処理を開始する。設定処理部４０３は、設定処理を開始すると、
記憶部１１等に予め格納されているプログラム（図示せず）に従って、所定の順序で設定
処理を実行する。設定処理部４０３は、設定処理の実行時において、適宜、端末識別情報
生成部４０１、高強度認証キー生成部４０２、認証処理部４０４、エラー検出部４０５、
メッセージ画面生成部４０６、画像処理部４０７、表示制御部４０８、の各部に指示情報
を通知して、各部での処理結果を取得する。設定処理部４０３は、ここで取得した結果に
基づいて所定の各種処理を実行する。
【００４７】
例えば、設定処理部４０３は、設定処理を開始したとき、端末識別情報生成部４０１及
び高強度認証キー生成部４０２に、端末識別情報及び高強度認証キーを生成させる。また
、入力受付部４００からの通知を受けて、端末識別情報及び高強度認証キーを、画像処理
部４０７を介して、印刷エンジン１４に印刷させる。さらに、設定処理部４０３は、認証
処理部４０４に、管理装置２００に入力された端末識別情報又は高強度認証キーについて
の認証処理を、管理装置２００との間で行わせる。また、設定処理部４０３は、エラー検
出部４０５から、認証処理ができなかったことを示すエラーを通知されたとき、そのエラ
ーの原因を判別して、エラーの原因に応じて異なるメッセージをメッセージ画面生成部４
０６に生成させる。このとき、設定処理部４０３は、表示制御部４０８を介して、生成さ
せたメッセージを、ディスプレイ等の出力装置に出力させる。
【００４８】
認証処理部４０４は、一般的な認証プロトコルに従って、アクセスポイント３００や無
線通信設定装置１００と、管理装置２００に入力された端末識別情報又は高強度認証キー
についての認証処理を行う。認証処理が正常に終了した場合は、認証処理部４０４は、管
理装置２００から第１のインタフェース部１２を介して受信した設定情報（ネットワーク
タイプ、ＳＳＩＤ、ＷＥＰ、ＷＰＡ、パスワード、等）を、設定処理部４０３に渡す。一
方、認証処理ができなかったときは、エラー検出部４０５からエラーの通知を受ける。こ
の場合は、認証処理部４０４は、認証処理を中止して、設定処理部４０３にこれを通知す
る。
【００４９】
具体的には、認証処理部４０４は、設定処理部４０３からの通知を受けて、認証処理の
前処理を開始する。認証処理の前処理を開始後、まず、認証処理部４０４は、エラー検出
部４０５に認証処理の前処理を開始したことを通知する。
【００５０】
その後、認証処理部４０４は、ＷＰＳの規格に対応している機器（アクセスポイント３
００）が存在するか否かを判定する。例えば、認証処理部４０４は、アクセスポイント３
００から定期的に出力されているビーコン信号を、第１のインタフェース部１２を介して
受信して、ビーコン信号に含まれている、ＷＰＳの規格に対応しているか否かを示すフラ
グ情報をエラー検出部４０５に渡す。
【００５１】
また、認証処理部４０４は、記憶部１１の端末識別情報格納テーブル４０９に格納され
ている端末識別情報を、第１のインタフェース部１２を介して、管理装置２００に送信す
ることにより、管理装置２００に認証キーについての認証を行わせる。
【００５２】
さらに、認証処理部４０４は、認証処理の前処理を開始してから所定時間（例えば、３
分）経過したときは、エラー検出部４０５からの通知を受けて、タイムアウト処理を行う
。
【００５３】
また、認証処理部４０４は、エラー検出部４０５からエラーの通知を受けずに、認証処
理を完了した場合、設定処理部４０３に、認証中に受信した設定情報を渡す。これととも
に、認証処理部４０４は、エラー検出部４０５にも認証処理を終了したことを通知する。
【００５４】
エラー検出部４０５は、認証処理ができなかったことをエラーとして検出する処理を行
う。また、エラー検出部４０５は、エラーを検出した場合、認証処理部４０４に通知して
、認証処理を中止させる。さらに、エラー検出部４０５は、認証処理ができなかった場合
のエラーの原因を、設定処理部４０３に通知する。
【００５５】
具体的には、エラー検出部４０５は、認証処理部４０４から認証処理の前処理を開始し
たことを示す通知を受けて、計時処理を開始する。エラー検出部４０５は、認証処理が終
了する前（認証処理部４０４から認証処理終了を通知される前）に、所定時間（例えば、
３分）経過したとき、認証処理部４０４にこれを通知する。また、エラー検出部４０５は
、認証処理部４０４からＷＰＳの規格に対応しているかを示すフラグ情報を受け取ったと
き、このフラグ情報がオフであるか否かを判別し、所定時間内に受け取った全てのフラグ
情報がオフであるとき、エラーを認証処理部４０４に通知する。さらに、エラー検出部４
０５は、認証処理部４０４から上述した入力ミス情報を受け取ったとき、認証処理部４０
４にエラーを通知する。
【００５６】
エラー検出部４０５は、エラーを認証処理部４０４に通知した場合、エラーの原因（１
．ＷＰＳの規格に対応するアクセスポイントが存在しない、２．タイムアウト、のいずれ
か）を示す情報を、設定処理部４０３に通知する。このエラーの原因を示す情報は、例え
ば、「０」、「１」等の数字列でもよい。
【００５７】
メッセージ画面生成部４０６は、無線ＬＡＮの設定処理中に、ユーザに通知する情報、
ユーザからの指示を受け付けるための選択ボタン、等を含む画像を生成する処理を行う。
そして、メッセージ画面生成部４０６は、生成した画像を、表示制御部４０８に供給する
。
【００５８】
例えば、メッセージ画面生成部４０６は、設定処理部４０３からの通知を受けて、図５
（Ａ）〜（Ｅ）に示すような画面を無線通信設定装置１００の出力装置（ディスプレイ、
等）に表示可能な画像を生成する。メッセージ画面生成部４０６は、生成した画像を表示
制御部４０８に供給し、出力装置に表示させる。
【００５９】
図５（Ａ）に示す画面は、無線ＬＡＮの設定処理を開始したことをユーザに通知するた
めの画面である。これとともに、この画面は、ユーザに端末識別情報及び高強度認証キー
を生成するかの指示を受け付けるためのＹｅｓボタン８０１及びＮｏボタン８０２を含む
。
【００６０】
図５（Ｂ）に示す画面は、ユーザに端末識別情報を通知するための画面である。これと
ともに、この画面は、ユーザに端末識別情報及び高強度認証キーの印刷をするか否かの指
示を受け付けるためのＹｅｓボタン８０３及びＮｏボタン８０４を含む。
【００６１】
図５（Ｃ）に示す画面は、認証処理の前処理において、ＷＰＳの規格に対応するアクセ
スポイントが存在しなかった場合に、このことをユーザに通知するための画面である。こ
れとともに、この画面は、無線ＬＡＮの設定を終了するか再試行するかの指示を受け付け
るための終了ボタン８０５及び再試行ボタン８０６を含む。
【００６２】
図５（Ｄ）に示す画面は、タイムアウトにより認証処理を正常に終了できなかった場合
に、このことをユーザに通知するための画面である。これとともに、この画面は、無線Ｌ
ＡＮの設定を終了するか再試行するかの指示を受け付けるための終了ボタン８０８及び再
試行ボタン８０８を含む。
【００６３】
図５（Ｅ）に示す画面は、無線ＬＡＮの設定処理が成功したことを、ユーザに通知する
ための画面である。これとともに、この画面は、無線ＬＡＮの設定を終了させるための終
了ボタン８０９を含む。
【００６４】
図１に戻って、画像処理部４０７は、端末識別情報及び高強度認証キーを印刷するため
の印刷データを生成する処理を行う。
【００６５】
例えば、画像処理部４０７は、第２のインタフェース部１３から印刷の指示を受け付け
た場合、まず、記憶部１１にアクセスして、端末識別情報格納テーブル４０９に格納され
ている端末識別情報を取得する。また、高強度認証キー格納テーブル４１０に格納されて
いる高強度認証キーを取得する。続いて、取得した端末識別情報及び高強度認証キーのデ
ータを印刷データに変換し、この印刷データに印刷命令用のデータ等を付加し、印刷エン
ジン１４へ送信する。
【００６６】
表示制御部４０８は、メッセージ画面生成部４０６が生成した画像（画面）を、ディス
プレイ等の出力装置に表示させる制御を行う。
【００６７】
例えば、表示制御部４０８は、メッセージ画面生成部４０６から画像（画面）が供給さ
れたときに、該画像を出力装置で表示可能なデータに変換して、出力装置に出力する。
【００６８】
印刷エンジン１４は、トナーカートリッジ、感光体ドラム、レーザ光照射機構、紙送り
機構、印刷媒体の給排紙処理を行なう給排紙機構等を制御する機能を有する。印刷エンジ
ン１４は、画像処理部４０７から送信される印刷データに含まれる印刷コマンドを解釈し
て、これに従い、印刷データを印刷する。
【００６９】
以上のように構成される無線通信設定装置１００は、例えば、図６に示すような、ＣＰ
Ｕ７０１と、主記憶装置７０２と、ＨＤＤ等の外部記憶装置７０３と、ＣＤ−ＲＯＭやＤ
ＶＤ−ＲＯＭ等の可搬性を有する可搬型記憶媒体７０７から情報を読み出す読取装置７０
５と、印刷エンジン１４が印刷物を出力するための印刷機構、ディスプレイ、キーボード
やマウス等の入出力装置７０６と、通信ネットワークに接続するためのＮＩＣ（Network 
Interface Card）等の通信装置２０４と、を備えた一般的なプリンタで実現される。ただ
し、主記憶装置７０２を備えていれば、外部記憶装置７０３、読取装置７０５は、を必ず
しも備える必要はない。
【００７０】
例えば、記憶部１１は、外部記憶装置７０３により実現可能であり、制御部１０は、外
部記憶装置７０３に記憶されている所定のプログラムを主記憶装置７０２にロードしてＣ
ＰＵ７０１で実行することで実現可能であり、第１のインタフェース部１２は、通信装置
７０４で実現可能であり、第２のインタフェース部１３は、入出力装置７０６で実現可能
である。
【００７１】
この所定のプログラムは、読取装置７０５を介して可搬型記憶媒体７０７から、或いは
、通信装置７０４を介してネットワークから、外部記憶装置７０３にダウンロードされ、
それから、主記憶装置７０２上にロードされてＣＰＵ７０１により実行されるようにして
もよい。また、読取装置７０５を介して可搬型記憶媒体７０７から、或いは、通信装置７
０４を介してネットワークから、主記憶装置７０２上に直接ロードされ、ＣＰＵ７０１に
より実行されるようにしてもよい。
【００７２】
また、アクセスポイント３００も、図６に示すようなハードウェア構成からなる。ただ
し、アクセスポイント３００も無線通信設定装置１００と同様に、外部記憶装置７０３、
読取装置７０５は、を必ずしも備える必要はない。
【００７３】
また、管理装置２００は、例えば、図７に示すように、図６に示す各装置に加え、画像
読取装置７０８を備える。画像読取装置７０８は、無線通信設定装置１００で印刷物とし
て出力した端末識別情報及び高強度認証キーを読み取るためのスキャナやバーコードリー
ダ等である。
【００７４】
以上のような構成により、本無線通信設定システム５０は、ユーザが無線ＬＡＮの設定
時における無線通信設定装置の登録を容易に行うことができる。
【００７５】
図８は、無線通信設定装置１００で行う無線ＬＡＮの設定処理を説明するためのフロー
チャートである。
【００７６】
無線通信設定装置１００の設定処理部４０３が、無線ＬＡＮの設定を行う指示情報を受
信したとき、設定処理を開始する。具体的には、設定処理部４０３は、第２のインタフェ
ース部１３を介して、無線ＬＡＮの設定を行う指示信号を受信したときの通知を、入力受
付部４００から受けるまで待機している（ステップＳ１０１；Ｎｏ）。設定処理部４０３
は、入力受付部４００から、無線ＬＡＮの設定を行う指示信号を受信したとき（ステップ
Ｓ１０１；Ｙｅｓ）、無線ＬＡＮの設定処理を開始する。該指示情報を受信した設定処理
部４０３は、記憶部１１に格納されている所定のプログラムを読み出して、無線ＬＡＮの
設定処理を開始する。
【００７７】
設定処理を開始した設定処理部４０３は、無線ＬＡＮの設定処理を開始したことをユー
ザに通知するための画面を、ディスプレイ等の出力装置に表示させる。例えば、設定処理
部４０３は、まず、メッセージ画面生成部４０６に、ユーザに設定処理を開始したことを
通知するための図５（Ａ）に示すような画像を生成させる。メッセージ画面生成部４０６
は、生成した画像を、表示制御部４０８に供給して、出力装置に表示させる。
【００７８】
ここで表示させた画像には、認証キーを生成するか否かの指示を受け付けるためのボタ
ンが含まれている。ここで、ユーザは、認証キーを生成したい場合は、マウス等を操作し
て、第２のインタフェース部１２に、Ｙｅｓボタン８０１の選択を指示するデータを入力
できる。認証キーを生成したくない場合は、ユーザは、第２のインタフェース部１２に、
Ｎｏボタン８０２の選択を指示するデータを入力できる。
【００７９】
このとき、設定処理部４０３は、Ｙｅｓボタン８０１かＮｏボタン８０２の選択を指示
する情報を受け付けて、認証キーを生成するか否かを判別する。生成すると判別した場合
は、端末識別情報を生成させるための指示信号を、端末識別情報生成部４０１に供給する
。一方、生成しないと判別した場合は、設定処理部４０３は、設定処理を終了させる。な
お、図５（Ａ）を表示する処理は、必ずしも設定処理に設ける必要はなく、設定処理を開
始した後、すぐに認証キーを生成する処理に移行させてもよい。
【００８０】
端末識別情報生成部４０１は、端末識別情報を生成させるための指示信号を受け付ける
と、端末識別情報を生成する（ステップＳ１０２）。具体的には、端末識別情報生成部４
０１は、時刻情報及びＭＡＣアドレスに基づき、ランダムな８桁の数字列を生成する。続
いて、端末識別情報生成部４０１は、生成した端末識別情報を、端末識別情報格納テーブ
ル４０９の端末識別情報欄５０１に格納する。格納後、端末識別情報生成部４０１は、端
末識別情報の生成処理を完了したことを高強度認証キー生成部４０２に通知する。
【００８１】
この通知を受けた高強度認証キー生成部４０２は、高強度認証キーを生成する。具体的
には、高強度認証キー生成部４０２は、該通知を受けると、端末識別情報格納テーブル４
０９の端末識別情報欄５０１に格納されている端末識別情報を取得する。高強度認証キー
生成部４０２は、取得した端末識別情報に基づいて、高強度認証キーを生成する。例えば
、高強度認証キー生成部４０２は、取得した端末識別を規則に従ってビットの文字列に変
換してコード語を作成し、さらに、誤り訂正符号化、ブロック分け、ブロックの配置、マ
スク処理、等を実行して、ＱＲコードを生成する。続いて、高強度認証キー生成部４０２
は、生成した高強度認証キーを、高強度認証キー格納テーブル４０９の高強度認証キー欄
６０１に格納する。格納後、高強度認証キー生成部４０２は、高強度認証キーの生成処理
を完了したことを設定処理部４０３に通知する。
【００８２】
続いて、設定処理部４０３は、ステップＳ１０２で生成した端末識別情報を、ディスプ
レイ等の出力装置に表示させる（ステップＳ１０３）。具体的には、設定処理部４０３は
、まず、メッセージ画面生成部４０６に、ユーザに端末識別情報を通知するための画像を
生成させる。このとき、メッセージ画面生成部４０６は、端末識別情報格納テーブル４０
９から生成した端末識別情報を取得して、この端末識別情報を含む図５（Ｂ）に示すよう
な画像を生成する。メッセージ画面生成部４０６は、生成した画像を、表示制御部４０８
に供給して、出力装置に表示させる。これにより、ユーザは無線通信設定装置１００が生
成した固有の端末識別情報を確認することができる。
【００８３】
ステップＳ１０３で表示させた画像には、表示している端末識別情報を印刷するか否か
の指示を受け付けるためのボタンが含まれている。ここで、ユーザは、端末識別情報を印
刷したい場合は、マウス等を操作して、第２のインタフェース部１２に、Ｙｅｓボタン８
０３の選択を指示するデータを入力できる。印刷しなくてもよい場合は、ユーザは、第２
のインタフェース部１２に、Ｎｏボタン８０４の選択を指示するデータを入力できる。
【００８４】
このとき、設定処理部４０３は、Ｙｅｓボタン８０３かＮｏボタン８０４の選択を指示
する情報を受け付けて、端末識別情報を印刷するか否かを判別する（ステップＳ１０４）
。例えば、ここで、入力受付部４００は、第２のインタフェース部１２にＹｅｓボタン８
０３を選択する指示が入力されたときは「１」を、Ｎｏボタン８０４を選択する指示が入
力されたときは「０」を、設定処理部４０２に供給する。設定処理部４０２は、このとき
、「１」が供給されたときは、端末識別情報を印刷すると判別し、「０」が供給されたと
きは、印刷しないと判別する。
【００８５】
ステップＳ１０４で、設定処理部４０３は、端末識別情報を印刷すると判別した場合（
ステップＳ１０４；Ｙｅｓ）、端末識別情報及び高強度認証キーを印刷エンジン１４に印
刷させる（ステップＳ１０５）。例えば、設定処理部４０３は、画像処理部４０７に端末
識別情報及び高強度認証キーを印刷する指示信号を供給する。このとき画像処理部４０７
は、記憶部１１にアクセスして、端末識別情報格納テーブル４０９に格納されている端末
識別情報と、高強度認証キー格納テーブル４１０に格納されている高強度認証キーを取得
する。また、画像処理部４０７は、取得した端末識別情報及び高強度認証キーを、印刷デ
ータに変換して、印刷エンジン１４に供給することで、端末識別情報及び高強度認証キー
を印刷することができる。
【００８６】
設定処理部４０３は、印刷する指示信号を画像処理部４０７に供給した後、処理をステ
ップＳ１０６に移行させる。
【００８７】
一方、ステップＳ１０４で、設定処理部４０３は、端末識別情報及び高強度認証キーを
印刷しないと判別した場合（ステップＳ１０４；Ｎｏ）、印刷する要求を受け付けるまで
待機する。なお、ここで設定処理を終了させるようにしてもよい。
【００８８】
ステップＳ１０６では、設定処理部４０３は、認証処理部４０４に、認証プロトコルに
従った認証処理を行わせる（ステップＳ１０６）。例えば、認証処理部４０４は、上述し
たように、エラー検出部４０５と連携して、エラー検出部４０５からエラーが通知されな
ければ、無線ＬＡＮの設定に必要な設定情報を管理装置２００から取得する。また、エラ
ー検出部４０５は、エラーを検出したときは、エラーの原因を特定する情報を、設定処理
部４０３に通知する。
【００８９】
続いて、認証処理部４０４は、認証処理が成功したか否かを判別する（ステップＳ１０
７）。具体的には、認証処理部４０４は、無線ＬＡＮの設定に必要な設定情報を全て取得
したときに、認証処理が成功したと判別する。一方、認証処理部４０４は、認証処理の途
中で、エラー検出部４０５からエラーが通知されたとき、認証処理が成功しなかったと判
別する。
【００９０】
ステップＳ１０７で、認証処理部４０４が認証処理を成功したと判別した場合（ステッ
プＳ１０７；Ｙｅｓ）、設定処理部４０３は、処理をステップＳ１０８に移行させて、表
示制御部４０８に、図５（Ｅ）に示すような設定に成功したことをユーザに通知するため
のメッセージを表示させる。このとき、設定処理部４０３は、ユーザから終了ボタン８０
９の選択を指示する情報を受け付けて、無線ＬＡＮの設定処理を終了させる。具体的には
、認証処理部４０４は、取得した設定情報を設定処理部４０３に渡す。設定処理部４０３
は、アクセスポイント３００を介して、管理装置２００と無線通信を可能にするために、
渡された設定情報を登録する。それから、設定処理部４０３は、無線ＬＡＮの設定を終了
させる。
【００９１】
一方、ステップＳ１０７で、認証処理部４０４が認証処理を成功しなかったと判別した
場合（ステップＳ１０７；Ｎｏ）、設定処理部４０３は、処理をステップＳ１０９に移行
させて、表示制御部４０８にエラーの原因に応じたメッセージを表示させる。
【００９２】
具体的には、エラー検出部４０５は、ステップＳ１０６でエラーを検出したときに、エ
ラーの原因（１．ＷＰＳの規格に対応するアクセスポイントが存在しない、２．タイムア
ウト、のいずれか）を特定する情報を、設定処理部４０３に通知している。そのため、設
定処理部４０３は、ステップＳ１０６で通知されたエラーの原因を特定する情報を参照す
ることで、エラーの原因を特定する。ここで、エラーの原因がＷＰＳの規格に対応するア
クセスポイントが存在しないと特定した場合は、メッセージ画面生成部４０６に、ユーザ
にＷＰＳの規格に対応するアクセスポイントが存在しなかったことを通知するための画像
を生成させる。このとき、メッセージ画面生成部４０６は、図５（Ｃ）に示すような画像
を生成する。また、設定処理部４０３は、エラーの原因がタイムアウトによるものである
と特定した場合は、メッセージ画面生成部４０６に、ユーザにタイムアウトにより認証処
理を正常に終了できなかったことを通知するための画像を生成させる。このとき、メッセ
ージ画面生成部４０６は、図５（Ｄ）に示すような画像を生成する。そして、メッセージ
画面生成部４０６は、生成した画像を、表示制御部４０８に供給して、出力装置に表示さ
せる。
【００９３】
ステップＳ１０９で表示させた図５（Ｃ）、（Ｄ）に示す画像には、端末識別情報を再
生成して、認証処理を再試行するか否かの指示を受け付けるためのボタンが含まれている
。ここで、ユーザは、認証処理を再試行したい場合は、マウス等を操作して、第２のイン
タフェース部１２に、再試行ボタン８０６、８０８の選択を指示するデータを入力できる
。認証処理を再試行したくない場合は、ユーザは、第２のインタフェース部１２に、終了
ボタン８０７、８０９の選択を指示するデータを入力できる。
【００９４】
このとき、設定処理部４０３は、再試行ボタン８０６、８０８の選択を指示するデータ
を受け付けたとき、処理をステップＳ１０２に移行させてもよい。また、設定処理部４０
３は、終了ボタン８０７、８０９の選択を指示するデータを受け付けたときは、無線ＬＡ
Ｎの設定処理を終了させる。
【００９５】
次に、図２に示す無線通信設定システム５０全体において、無線通信設定装置１００を
管理装置２００に登録するときの、無線ＬＡＮの設定処理について説明する。図９は、そ
のときの設定処理を示すシーケンス図である。
【００９６】
無線通信設定システム５０では、管理装置２００とアクセスポイント２００とで構築さ
れているＬＡＮに、無線通信設定装置１００を新たに接続する場合、無線通信設定装置１
００に設定開始の指示信号が入力されたときに（Ｓ１）、無線通信設定装置１００は、無
線ＬＡＮの設定処理を開始する。無線通信設定装置１００は、まず、端末識別情報及び高
強度認証キーを生成する（Ｓ２）。続いて、無線通信設定装置１００は、端末識別情報及
び高強度認証キーを、印刷する（Ｓ３）。このとき、ユーザは、無線通信設定装置１００
が印刷した端末識別情報と高強度認証キーを、管理装置２００のスキャナやバーコードリ
ーダ等の画像読取装置を利用して、読み取らせる。ステップＳ３の処理後、無線通信設定
装置１００と管理装置２００との間で認証プロトコルに従った認証処理が行われる。具体
的には、認証処理の前処理として、まず、無線通信設定装置１００は、ＷＰＳの規格に対
応するアクセスポイント３００を探索する（Ｓ４）。ＷＰＳの規格に対応するアクセスポ
イント３００が見つかった場合、管理装置２００は、ステップＳ３で読み取った端末識別
情報又は高強度認証キーから抽出した端末特定情報と、無線通信設定装置１００から送信
された端末識別情報とを比較して、認証処理を行う（Ｓ５）。この認証処理が成功した場
合、管理装置２００は、無線ＬＡＮの設定に必要な設定情報を、無線通信設定装置１００
に送信する（Ｓ６）。これを受信した無線通信設定装置１００は、受信した設定情報に基
づき諸情報を登録し、設定を完了したことをユーザに通知する（Ｓ７）。
【００９７】
なお、本発明は、上記実施形態に限定されず、種々の変形、応用が可能である。
例えば、上記実施形態では、管理装置２００とアクセスポイント３００とは、別の装置
として説明している。しかしながら、本発明は、これに限定されず、例えば、管理装置２
００とアクセスポイント３００を１つの装置としてもよい。
【００９８】
また、上記実施形態では、端末識別情報格納テーブル４０９には、端末識別情報欄５０
１、有効期限欄５０２、とが設けられている。しかしながら、本発明は、これに限定され
ず、端末識別情報格納テーブル４０９には、端末識別情報欄５０１が設けられていればよ
い。これと同様に、上記実施形態では、高強度認証キー格納テーブル４１０には、高強度
認証キー欄６０１、有効期限欄６０２、とが設けられている。しかしながら、本発明は、
これに限定されず、高強度認証キー格納テーブル４１０には、高強度認証キー欄６０１が
設けられていればよい。
【００９９】
さらに、上記実施形態では、認証処理ができない場合のエラーの原因として、１．ＷＰ
Ｓの規格に対応するアクセスポイントが存在しない、２．タイムアウト、の３つの原因を
挙げている。しかしながら、本発明は、認証処理ができない場合のエラーの原因を、これ
らに限定しない。
【図面の簡単な説明】
【０１００】
【図１】本発明の実施形態に係る無線通信設定装置の機能構成図である。
【図２】本発明の実施形態に係る無線通信設定システムの構成の一例を示すブロック図である。
【図３】端末識別情報格納テーブルのデータ構造を概念的に示した説明図である。
【図４】高強度認証キー格納テーブルのデータ構造を概念的に示した説明図である。
【図５】（Ａ）〜（Ｅ）は、無線通信設定装置に表示させる画面のレイアウト例を示した説明図である。
【図６】端末識別情報及びアクセスポイントのハードウェア構成の一例を示す説明図である。
【図７】管理装置のハードウェア構成の一例を示す説明図である。
【図８】無線通信設定装置で実行される設定処理のフローチャートである。
【図９】無線通信設定システムで設定処理を行う場合のタイミングチャートである。
【符号の説明】
【０１０１】
１０…制御部、１１…記憶部、１２…第１のインタフェース、１３…第２のインタフェー
ス、５０…無線通信設定システム、１００…無線通信設定装置、２００…管理装置、３０
０…アクセスポイント、４００…入力受付部、４０１…端末識別情報生成部、４０２…高
強度認証キー生成部、４０３…設定処理部、４０４…認証処理部、４０５…エラー検出部
、４０６…メッセージ画面生成部、４０７…画像処理部、４０８…表示制御部、４０９…
端末識別情報格納テーブル、５０１…端末識別情報欄、６０１…高強度認証キー欄、７０
１…ＣＰＵ、７０２…主記憶装置、７０３…外部記憶装置、７０４…通信装置８０１…Ｙ
ｅｓボタン、８０２…Ｎｏボタン、８０３…終了ボタン、８０４…再試行ボタン。
【図１】
2008227660.tif 000003
【図２】
2008227660.tif 000004
【図３】
2008227660.tif 000005
【図４】
2008227660.tif 000006
【図５】
2008227660.tif 000007
【図６】
2008227660.tif 000008
【図７】
2008227660.tif 000009
【図８】
2008227660.tif 000010
【図９】
2008227660.tif 000011